(57)【要約】【課題】光ディスクに記録されたユーザデータが他の光ディスクに記録されることを抑制できるようにする。【解決手段】光ディスク１には、ユーザデータと、ランダムパターンおよび固定パターンのデータからなる表示データとが記録されている。光ディスク１から他の光ディスクに対して表示データを所定のカッティングスピードにより記録した場合には、ランダムパターンおよび固定パターンのデータが、他の光ディスク上に予め設定された表示情報を表示する位置に記録される。【選択図】　図５
2004127430.tif 000002
【特許請求の範囲】
【請求項１】
ユーザデータと、ランダムパターンおよび固定パターンのデータからなる表示データとが記録された光ディスクであって、
上記表示データを他の光ディスクに対して記録時と異なる速度でもって記録した場合には、上記他の光ディスク上に予め設定された表示情報が表示されるように、上記表示データが記録されたことを特徴とする光ディスク。
【請求項２】
上記他の光ディスクに記録された上記ユーザデータの再生が指示された際に、上記表示データが記録されているか否かを判断し、上記表示データが記録されていない場合には上記ユーザデータが再生されないように再生処理を制御するプログラムがさらに、記録されたことを特徴とする請求項１記載の光ディスク。
【請求項３】
ランダムパターンおよび固定パターンのデータからなる他の表示データを他の光ディスクに対して上記速度と異なる速度により記録した場合には、上記他の光ディスク上に予め設定された表示情報が表示されるように、上記他の表示データが記録されたことを特徴とする請求項１記載の光ディスク。
【請求項４】
上記表示情報は、他の光ディスクに対して上記ユーザデータの記録が禁止されていることを示す情報であることを特徴とする請求項１記載の光ディスク。
【請求項５】
ランダムパターンおよび固定パターンのデータからなる表示データを生成するデータ生成手段と、
上記データ生成手段により生成された上記表示データと、ユーザデータとを、原盤に対して記録するデータ記録手段とを備え、
上記表示データを光ディスクに対して記録時と異なる速度でもって記録した場合には、上記光ディスク上に予め設定された表示情報が表示されるように、上記表示データが記録されることを特徴とする原盤記録装置。
【請求項６】
上記他の光ディスクに記録された上記ユーザデータの再生が指示された際に、上記表示データが記録されているか否かを判断し、上記表示データが記録されていない場合には上記ユーザデータが再生されないように再生処理を制御するプログラムを上記原盤に対してさらに上記記録手段が記録することを特徴とする請求項５記載の原盤記録装置。
【請求項７】
上記記録手段が、ランダムパターンおよび固定パターンのデータからなる他の表示データを上記原盤に対してさらに記録し、
上記他の表示データを光ディスクに対して記録時と異なる速度でもって記録した場合には、上記光ディスク上に予め設定された表示情報が表示されるように、上記他のデータが記録されることを特徴とする請求項５記載の原盤記録装置。
【請求項８】
上記表示情報は、他の光ディスクに対して上記ユーザデータの記録が禁止されていることを示す情報であることを特徴とする請求項５記載の原盤記録装置。
【請求項９】
ランダムパターンおよび固定パターンのデータからなる表示データを生成するデータ生成ステップと、
上記データ生成ステップにより生成された上記表示データと、ユーザデータとを、原盤に対して記録するデータ記録ステップとを備え、
上記表示データを光ディスクに対して記録時と異なる速度でもって記録した場合には、上記光ディスク上に予め設定された表示情報が表示されるように、上記表示データが記録されることを特徴とする原盤記録方法。
【請求項１０】
上記光ディスクに記録された上記ユーザデータの再生が指示された際に、上記表示データが記録されているか否かを判断し、上記表示データが記録されていない場合には上記ユーザデータが再生されないように再生処理を制御するプログラムを記録するステップをさらに備えることを特徴とする請求項９記載の原盤記録方法。
【請求項１１】
上記記録手段が、ランダムパターンおよび固定パターンのデータからなる他の表示データをさらに上記原盤に対して記録するステップをさらに備え、
上記他の表示データを光ディスクに対して記録時と異なる速度でもって記録した場合には、上記光ディスク上に予め設定された表示情報が表示されるように、上記他の表示データが記録されることを特徴とする請求項９記載の原盤記録方法。
【請求項１２】
上記表示情報は、他の光ディスクに対して上記ユーザデータの記録が禁止されていることを示す情報であることを特徴とする請求項９記載の原盤記録方法。
【発明の詳細な説明】
【０００１】
【発明の属する技術分野】
この発明は、原盤記録装置および原盤記録方法、並びに光ディスクに関し、例えば、コンテンツの違法コピーを抑制することができる原盤記録装置および原盤記録方法、並びに光ディスクに関する。
【０００２】
【従来の技術】
近年、ＣＤ−Ｒ（Ｃｏｍｐａｃｔ　Ｄｉｓｃ　Ｒｅｃｏｒｄａｂｌｅ）やＣＤ−ＲＷ（Ｃｏｍｐａｃｔ　Ｄｉｓｃ　ＲｅＷｒｉｔａｂｌｅ）などの光ディスクにデータを記録可能なディスクドライブ装置が広く普及している。また、このようなディスクドライブ装置を搭載したパーソナルコンピュータも広く普及するようになっている。
【０００３】
【発明が解決しようとする課題】
ところが、このようなディスクドライブ装置の普及によって、コンテンツのコピー、例えば、ＣＤ−ＲＯＭ（Ｃｏｍｐａｃｔ　Ｄｉｓｃ　Ｒｅａｄ　Ｏｎｌｙ　Ｍｅｍｏｒｙ）からＣＤ−Ｒへのコンテンツのコピーが行われるようになり、著作権者の権利が侵害されるようになっている。このため、コンテンツの違法コピーを如何にして抑制するかが問題となっている。
【０００４】
したがって、この発明の目的は、コンテンツの違法コピーを抑制することができる原盤記録装置および原盤記録方法、並びに光ディスクを提供することにある。
【０００５】
【課題を解決するための手段】
上記課題を解決するために、本願第１の発明は、ユーザデータと、ランダムパターンおよび固定パターンのデータからなる表示データとが記録された光ディスクであって、
表示データを他の光ディスクに対して記録時と異なる速度でもって記録した場合には、他の光ディスク上に予め設定された表示情報が表示されるように、表示データが記録されたことを特徴とする光ディスクである。
【０００６】
本願第２の発明は、ランダムパターンおよび固定パターンのデータからなる表示データを生成するデータ生成手段と、
データ生成手段により生成された表示データと、ユーザデータとを、原盤に対して記録するデータ記録手段とを備え、
表示データを光ディスクに対して記録時と異なる速度でもって記録した場合には、光ディスク上に予め設定された表示情報が表示されるように、表示データが記録されることを特徴とする原盤記録装置である。
【０００７】
本願第３の発明は、ランダムパターンおよび固定パターンのデータからなる表示データを生成するデータ生成ステップと、
データ生成ステップにより生成された表示データと、ユーザデータとを、原盤に対して記録するデータ記録ステップとを備え、
表示データを光ディスクに対して記録時と異なる速度でもって記録した場合には、光ディスク上に予め設定された表示情報が表示されるように、表示データが記録されることを特徴とする原盤記録方法である。
【０００８】
この発明のよれば、表示データを他の光ディスクに対して記録時と異なる速度でもって記録した場合には、他の光ディスク上に予め設定された表示情報が表示されるように、表示データが記録されるため、表示データを他の光ディスクに対して記録時と異なる速度でもって記録した場合には、他の光ディスク上に予め設定された表示情報を電子透かしにより表示することができる。
【０００９】
【発明の実施の形態】
まず、この発明の実施形態についての理解を容易にするために、この発明の実施形態の概要について説明する。
【００１０】
はじめに、オリジナルの光ディスクから他の光ディスクにデータを所定の速度により記録した場合に、他の光ディスクの記録面に表示される文字や絵柄などの表示情報を決定する。次に、この決定された表示情報を表示するためのランダムパターンおよび固定パターンのデータを用意する。次に、これらのデータを、上述の所定の速度と異なる速度により原盤に記録する。そして、この原盤によりスタンパを作製し、この作製されたスタンパを用いてオリジナルの光ディスクを製造する。
【００１１】
以下、図１〜４を用いて、上述の内容を具体的に数値を用いて説明する。まず、オリジナルの光ディスクから他の光ディスクにデータを線速度一定、例えば１．２ｍ／ｓにより記録した場合に、他の光ディスクの記録面に表示される文字や絵柄などの表示情報を決定する。ここで、他の光ディスクのトラックピッチは、１．６μｍである。
【００１２】
図１は、オリジナルの光ディスクから他の光ディスクにデータを線速度１．２ｍ／ｓにより記録した場合に、他の光ディスクの記録面に表示される文字や絵柄などの表示情報の一例を示す。この他の光ディスクには、ユーザデータが、半径Ｒ２（＝２５ｍｍ）の位置から半径Ｒ１（＝５０ｍｍ）の位置までに記録されている。そして、この半径Ｒ１の位置から文字や絵柄などの表示情報を表示するためのランダムパターンおよび固定パターンのデータからなる表示データが記録される。
【００１３】
図１において、影を付した部分にはランダムパターンのデータが記録され、それ以外の部分には固定パターンのデータが記録される。なお、影を付した部分は、ランダムパターンおよび固定パターンのデータが記録された円環状の領域の約１０％に相当する。
【００１４】
半径Ｒ１（＝５０ｍｍ）における円周の長さＬ１は、
Ｌ１＝２π×Ｒ１＝３１４．１６ｍｍ
である。
【００１５】
半径Ｒ２（＝２５ｍｍ）における円周の長さＬ２は、
Ｌ２＝２π×Ｒ２＝１５７．０７９５ｍｍ
である。
【００１６】
図２に、半径５０ｍｍの位置おけるトラックを示す。この半径５０ｍｍに位置するトラックの長さは、３１４．１６ｍｍである。このうち、ランダムパターンが記録される部分の長さは、３１．４１６ｍｍである。
【００１７】
したがって、半径５０ｍｍに位置するトラックにデータを記録するために要する時間は、０．２６２秒である。この時間のうち、ランダムデータを記録するのに要する時間は、０．０２６２秒である。
【００１８】
半径５０ｍｍより外周側にあるトラックにも同様に、トラックの約１０％に相当する部分にランダムパターンのデータが記録され、それ以外の部分に固定パターンのデータが記録される。
【００１９】
次に、図１に示した表示情報を表示するためのランダムパターンおよび固定パターンのデータからなる表示データを用意する。そして、ユーザデータ、表示データをカッティングスピード１．４ｍ／ｓにより原盤に内周側から外周側に向けて順次記録する。そして、この原盤によりスタンパを作製し、この作製されたスタンパを用いてオリジナルの光ディスクを製造する。
【００２０】
カッティングスピード１．４ｍ／ｓにより半径２５ｍｍの位置からユーザデータを原盤に記録すると、表示データの記録が開始される位置がずれ、半径５４．３９ｍｍの位置となる。この半径に位置するトラックの長さは、３４１．７４６ｍｍである。
【００２１】
図３に、図２に示したトラックに記録されたものと同様のデータを、１．４ｍ／ｓにより原盤に記録した場合に必要となるトラック長を示す。図３に示すように、図２に示したトラックに記録されたものと同様のデータを１．４ｍ／ｓにより原盤に記録した場合には、３６６ｍｍのトラック長が必要となる。このトラック長のうち、ランダムパターンのデータが記録される部分の長さは、３６．６ｍｍである。
【００２２】
図４に、半径５４．３９ｍｍに位置するトラックを示す。この半径５４．３９ｍｍに位置するトラックの長さは、３４１．７４６ｍｍである。よって、外側に向かうにしたがって、ランダムパターンのデータが記録される位置のズレが大きくなる。したがって、図１において円環状の一部分に記録されていたランダムパターンのデータは、原盤においては分散した状態になる。したがって、この原盤を用いて製造されたオリジナルの光ディスクにおいては、図１に示すような表示情報は表示されない状態になる。
【００２３】
以下、この発明の一実施形態について図面を参照しながら説明する。図５は、この発明の一実施形態による光ディスクの信号面を示す。この光ディスク１には、図５に示すように、内周側から外周側に向かって、ユーザデータ記録領域、表示データ記録領域が順次設けられている。
【００２４】
ユーザデータ記録領域は、ユーザデータを記録するための領域である。表示データ記録領域は、表示データを記録するための領域である。この表示データは、この一実施形態による光ディスクから他の光ディスクに所定の線速度によりデータを記録した場合に、他の光ディスクの記録面に予め設定された表示情報を電子透かしにより表示するためのデータである。この表示情報は、ユーザデータを他の光ディスクに記録することが禁止されていることを示すための、文字や絵柄などの情報であり、例えば、「コピー厳禁」などの文字情報である。
【００２５】
表示データは、ランダムパターンおよび固定パターンのデータからなる。これらのランダムパターンおよび固定パターンのデータをこの一実施形態による光ディスク１から他の光ディスクに所定の線速度により記録した場合には、他の光ディスクの記録面に予め設定された表示情報を表示する位置にランダムパターンおよび固定パターンのデータが記録される。
【００２６】
固定パターンのデータは、例えば、全てがゼロデータまたは全て同じデータである。ここで、一例として、データのフォーマットとして、ＣＤ−ＲＯＭのモード２フォーム２を用いる場合について説明する。モード２フォーム２のフォーマットでは、１セクタ　２３５２バイトのうち、２３３２バイトがユーザに解放されている。この２３３２全てをスクランブルパターンと同様にする。記録データにはスクランブルが再度かけられるので、ゼロデータ、すなわち固定パターンのデータとなる。実際には、これらのメインコードデータの他に、サブコードもあるので、完全な固定パターンを得ることはできないが、上述した表示情報を電子透かしにより表示するには十分な固定パターンのデータを得ることができる。また、ランダムパターンは、乱数表よりの値を２３３２バイト入れて実現する。
【００２７】
ＥＦＭ（ｅｉｇｈｔ　ｔｏ　ｆｏｕｒｔｅｅｎ　ｍｏｄｕｌａｔｉｏｎ）信号では、データにＣＩＲＣ（ＣｒｏｓｓＩｎｔｅｒｌｅａｖｅｄ　Ｒｅｅｄ　Ｓｏｌｏｍｏｎ　Ｃｏｄｅ）がかかっているため、これらの分散効果を考慮して、固定パターンとランダムパターンのデータを作成する必要がある。すなわち、ＥＦＭデータ列になっているところでは、半径とカッティングスピードを考慮して、文字や絵柄などの表示情報を決定し、それに基づいて計算をする。
【００２８】
図６は、この発明の一実施形態による光ディスク１の表示データ記録領域の拡大図を示す。図６に示すように、この一実施形態による光ディスク１の表示データ記録領域においては、表示データ記録領域に記録されたランダムパターンおよび固定パターンのデータは分散した状態で記録されている。このような分散した位置にあるランダムパターンおよび固定パターンのデータが、この一実施形態による光ディスク１から他の光ディスクに対して所定の線速度により記録されると、他の光ディスクの記録面に予め設定された文字や絵柄などの表示情報を表示する位置に記録される。
【００２９】
図７および図８は、所定の線速度によりユーザデータおよび表示データが記録された光ディスクの記録面の一例を示す。上述の一実施形態による光ディスク１から光ディスク１０に対して、表示データを所定の線速度により記録した場合には、図７に示すように、光ディスク１０の記録面に文字や絵柄などの表示情報が表示される。
【００３０】
図８に示すように、光ディスク１のユーザデータ記録領域２から読み出されたユーザデータは、光ディスク１０の半径Ｒ２の位置から半径Ｒ１の位置まで記録される。ここで、半径Ｒ１は、例えば５０ｍｍであり、半径Ｒ２は、例えば２５ｍｍである。また、図８に示すように、光ディスク１の表示データ記録領域３から読み出された表示データは、光ディスク１０の半径Ｒ１の位置から記録される。なお、ユーザデータの記録が終了される位置と、表示データの記録が開始される位置との間を１ｍｍ程度空けるようにしてもかまわない。
【００３１】
図９は、所定の線速度により表示データが記録された光ディスク１０の記録面の拡大図を示す。ここでは、便宜上、半径方向に並ぶ数１０個のピットと、円周方向に並ぶ数１０個のピットとにより、文字や絵柄などを表示する例について示す。上述の一実施形態による光ディスク１から他の光ディスクに対して表示データを所定の線速度により記録した場合には、図９に示すように、ランダムパターンおよび固定パターンのデータが光ディスク１０の記録面に予め設定された表示情報を表示する位置に記録される。これにより、文字や絵柄などの表示情報が電子透かしにより表示される。
【００３２】
なお、文字や絵柄などの表示情報は、半径方向に並ぶ一万個以上のピットおよび円周方向に並ぶ一万個以上のピットにより表示することが好ましい。これにより、ユーザが容易に把握可能な大きさで文字や絵柄などの表示情報を光ディスク１０の記録面に表示することができる。
【００３３】
ＣＤ−Ｒなどの光ディスクには、７４分に相当するデータ容量を記録可能なもの、８０分に相当するデータ容量を記録可能なものなどがある。すなわち、ＣＤ−Ｒなどの光ディスクでは、最終アドレスが、例えば、７４分あるいは８０分になるように、ウォブル信号によりアドレスが記録されている。したがって、ＣＤ−Ｒなどの光ディスクでは、データを記録する際の線速度は、光ディスクの記録容量により規定される。例えば、８０分に相当するデータを記録可能な光ディスクでは、データを記録する際の線速度は、１．２ｍ／ｓとなる。
【００３４】
対象とするＣＤ−Ｒなどの光ディスクの記録スピードを前もって調べておくことが好ましい。なお、ディスクドライブ装置で、何倍速でデータを光ディスクに書き込もうが、光ディスクに実際に書き込まれるデータ配列は、自動的に、元のウォブル信号で想定されたスピードにより、書き込まれたことと同様になり、文字や、図案が見えるようになる。
【００３５】
図１０は、この発明の一実施形態による原盤記録装置の構成の一例を示すブロック図である。原盤記録装置２０は、図１０に示すように、レーザ２１、光変調器２２、光ピックアップ２３、サーボ回路２４、記録信号生成器２５、表示データ生成器２６、ユーザデータ生成器２７、サブコード生成器２８およびスピンドルモータ２９を備える。
【００３６】
原盤記録装置２０は、例えばＡｒイオンレーザ、Ｈｅ−ＣｄレーザやＫｒイオンレーザ等のガスレーザや半導体レーザである。光変調器２２は、レーザ２１から出射されたレーザ光を、後述する記録信号生成器２５からの信号に基づいて変調（オン／オフ）する音響光学効果型の光変調器である。光ピックアップ２３は、光変調器２２を通過したレーザ光を集光し、感光物質であるフォトレジストが塗布されたディスク状のガラス原盤３０のフォトレジスト面に照射する対物レンズ等を有する記録手段である。
【００３７】
サーボ回路２４は、この光ピックアップ２３をガラス原盤３０との距離が一定に保つようにトラッキングさせたり、後述するスピンドルモータ２９の回転駆動動作を制御する。記録信号生成器２５は、表示データ生成器２６からの表示データと、ユーザデータ生成器２７からのユーザデータと、サブコード生成器２８からのサブコードとに基づいて、ガラス原盤３０に記録する記録信号を生成し、この記録信号に基づき光変調器２２をオン／オフする。表示データ生成器２６は、表示データを生成する。ユーザデータ生成器２７は、ユーザデータを生成する。サブコード生成器２８は、サブコードを生成する。スピンドルモータ２９は、ガラス原盤３０を回転駆動する。なお、表示データのマスターとなるデータ（例えば、グラフィックデータ）は、ＣＤ−Ｒなどの光ディスクなどに記録されて顧客より供給される。
【００３８】
図１１は、この発明の一実施形態による原盤記録装置の動作を説明するためのフローチャートである。
【００３９】
まず、ステップＳ１において、表示データ生成器２６が、表示データを生成する。なお、この表示データは、オリジナルの光ディスクから他の光ディスクにデータを記録する際の線速度に基づき生成される。この線速度は、例えば１．２ｍ／ｓ〜１．４ｍ／ｓであり、具体的に例えば１．２ｍ／ｓである。
【００４０】
次に、ステップＳ２において、記録信号生成器２５が、ユーザデータ生成器２７からのユーザデータと、サブコード生成器２８からのサブコードと、表示データ生成器２６からの表示データとを、所定のフォーマット（例えば、モード２フォーラム２）に変換する。
【００４１】
次に、ステップ３において、光変調器２２が、レーザ２１から供給されたレーザ光を記録信号生成器２５から供給される信号に基づき変調し、光ピックアップ２３を介して介してガラス原盤３０に照射する。この際、ガラス原盤３０は、サーボ回路２４により上述の線速度とは異なるカッティングスピードとなるように回転駆動される。ここで、このカッティングスピードは、例えば１．２ｍ／ｓ〜１．４ｍ／ｓであり、具体的に例えば１．４ｍ／ｓである。これにより、ランダムパターンおよび固定パターンのデータはガラス原盤３０において分散された状態となる。
【００４２】
上述のようにして製造されたガラス原盤を用いて、上述の一実施形態による光ディスクが製造される。
【００４３】
この発明の一実施形態によれば、以下のような効果を得ることができる。
光ディスク１から他の光ディスクに対して表示データを所定の線速度により記録した場合には、他の光ディスクの記録面に予め設定された表示情報が表示されるように、ランダムパターンおよび固定パターンのデータが記録されるため、光ディスク１から他の光ディスクに所定の線速度により表示データが記録された場合には、他の光ディスクの記録面に予め設定された表示情報を電子透かしにより表示することができる。したがって、光ディスクの記録面に表示情報が表示されているか否かを確認することによって、光ディスクがオリジナルなものであるか否かを判断することができる。
【００４４】
また、光ディスク１から光ディスク１０に対して表示データを所定の線速度により記録した場合には、光ディスク１０の記録面には「コピー厳禁」などの表示情報が電子透かしにより表示されるため、不正コピーした光ディスクが他人に渡されたり、不正コピーした光ディスクが販売されたりすることを防止することができる。
【００４５】
以上、この発明の一実施形態について具体的に説明したが、この発明は、上述の実施形態に限定されるものではなく、この発明の技術的思想に基づく各種の変形が可能である。
【００４６】
例えば、上述の一実施形態において挙げた数値はあくまでも例に過ぎず、必要に応じてこれと異なる数値を用いてもよい。
【００４７】
また、上述した一実施形態による光ディスクにおいて、上述した所定の線速度（例えば１．２ｍ／ｓ）と異なる線速度（例えば１．３ｍ／ｓ）により光ディスク１から他の光ディスクにデータを記録した場合に、他の光ディスクの記録面に予め設定された表示情報を表示するランダムパターンおよび固定パターンからなる表示データを光ディスク１に対してさらに記録するようにしてもよい。
【００４８】
また、上述した一実施形態による原盤記録装置が、上述した所定の線速度（例えば１．２ｍ／ｓ）と異なる線速度（例えば１．３ｍ／ｓ）により光ディスク１から他の光ディスクにデータを記録した場合に、予め設定された表示情報を表示するランダムパターンおよび固定パターンからなる表示データを光ディスク１に対してさらに記録するようにしてもよい。
【００４９】
このような表示データを光ディスク１に対して記録することにより、上述した所定の線速度（例えば１．２ｍ／ｓ）と異なる線速度（例えば１．３ｍ／ｓ）により光ディスク１から他の光ディスクに対してデータを記録した場合にも、他の光ディスクの記録面に表示情報を表示することができる。よって、ユーザデータの違法コピーをさらに抑制することができる。
【００５０】
また、上述した一実施形態による光ディスクにおいて、他の光ディスクに記録されたユーザデータを再生する際に、他の光ディスクに表示データが記録されているか否かを判断し、表示データが記録されていない場合にはユーザデータが再生されないように再生処理を制御するプログラムが記録されたプログラム領域をさらに備えるようにしてもよい。
【００５１】
また、上述した一実施形態による原盤記録装置が、コピーディスクに記録されたユーザデータを再生する際に、他の光ディスクに表示データが記録されているか否かを判断し、表示データが記録されていない場合にはユーザデータを再生されないように再生処理を制御するプログラムを、ガラス原盤３０に対してさらに記録するようにしてもよい。
【００５２】
このようなプログラムを光ディスク１に対して記録することにより、この一実施形態による光ディスク１から他の光ディスクに記録されたユーザデータが再生されることを防止することができる。よって、ユーザデータの違法コピーをさらに抑制することができる。
【００５３】
【発明の効果】
以上説明したように、この発明によれば、表示データを他の光ディスクに対して記録時と異なる速度でもって記録した場合には、他の光ディスク上に予め設定された表示情報を表示することができる。したがって、ユーザデータの違法コピーを抑制することができる。
【図面の簡単な説明】
【図１】オリジナルの光ディスクからデータを記録した光ディスクの記録面を示す平面図である。
【図２】半径５０ｍｍに位置するトラックを示す略線図である。
【図３】図２に示したトラックに記録されたデータを、カッティングスピード１．４ｍ／ｓにより記録する場合に必要となるトラック長を示す略線図である。
【図４】半径４３１．７４６ｍｍに位置するトラックを示す略線図である。
【図５】この発明の一実施形態による光ディスクの信号面を示す平面図である。
【図６】この発明の一実施形態による光ディスクの信号面の拡大図である。
【図７】この発明の一実施形態による光ディスクからデータを記録した光ディスクの記録面を示す平面図である。
【図８】この発明の一実施形態による光ディスクからデータを記録した光ディスクの記録面を示す平面図である。
【図９】この発明の一実施形態による光ディスクからデータを記録した光ディスクの記録面の拡大図である。
【図１０】この発明の一実施形態による原盤記録装置の構成の一例を示すブロック図である。
【図１１】この発明の一実施形態による原盤記録装置の動作を説明するためのフローチャートである。
【符号の説明】
１・・・光ディスク、２・・・ユーザデータ記録領域、３・・・表示データ記録領域、１０・・・他の光ディスク、２１・・・レーザ、２２・・・光変調器、２３・・・光ピックアップ、２４・・・サーボ回路、２５・・・記録信号生成器、２６・・・表示データ生成器、２７・・・サブコード生成器、２８・・・サブコード生成器、２９・・・スピンドルモータ、３０・・・ガラス原盤
【図１】
2004127430.tif 000003
【図２】
2004127430.tif 000004
【図３】
2004127430.tif 000005
【図４】
2004127430.tif 000006
【図５】
2004127430.tif 000007
【図６】
2004127430.tif 000008
【図７】
2004127430.tif 000009
【図８】
2004127430.tif 000010
【図９】
2004127430.tif 000011
【図１０】
2004127430.tif 000012
【図１１】
2004127430.tif 000013